(57)【要約】【課題】側板に近い熱交換器の端部近傍を通過する気流を多く発生させることである。【解決手段】室内熱交換器３０は、伝熱管３６及び複数のフィンを有する熱交換部を含む。後舌部４５は、熱交換部及び室内ファン５０と並べて第１方向に延びるように配置され、フィン配置領域ＦＡの第１領域端ＡＥ１よりも第１方向の外側に位置する第１舌部端４５ａを持っている。第１側板６０は、熱交換部の第１領域端ＡＥ１の側に取り付けられている。この第１側板６０は、第１舌部端４５ａよりも第１方向の外側に配置されている本体部６１、伝熱管３６を支持するために第１舌部端４５ａよりも第１方向の内側に配置されている管支持部６２、及び本体部６１と管支持部６２とを連結するために後舌部４５に沿って延びる連結部６３を有している。【選択図】図１３
2016138689.tif 000002
【特許請求の範囲】
【請求項１】
第１方向に延びる伝熱管（３６）及び前記伝熱管に沿ったフィン配置領域の第１領域端から第２領域端の間に並べて配置されて前記伝熱管に貫かれている複数のフィン（３５）を有する熱交換部（３１，３２，３３，３４）と、
前記熱交換部と並べて前記第１方向に延びるように配置され、複数の前記フィンを通過する気流を発生するためのファン（５０）と、
前記熱交換部及び前記ファンと並べて前記第１方向に延びるように配置され、前記第１領域端よりも前記第１方向の外側に位置する第１舌部端（４５ａ）を持ち、前記熱交換部を通過した気流を前記ファンに導くための後舌部（４５）と、
前記第１舌部端よりも前記第１方向の外側に配置されている本体部（６１）、前記伝熱管を支持するために前記第１舌部端よりも前記第１方向の内側にまで配置されている管支持部（６２）、及び前記本体部と前記管支持部とを連結するために前記後舌部に沿って延びる連結部（６３）を有し、前記熱交換部の前記第１領域端の側に取り付けられる第１側板（６０）と
を備える、空調室内機。
【請求項２】
前記第１側板は、前記後舌部を前記ファンと前記第１側板との間にもぐり込ませるための段差部（６３ａ）を有する、
請求項１に記載の空調室内機。
【請求項３】
前記熱交換部は、前記管支持部に取り付けられ、前記伝熱管を固定するための管板（３７，３８）をさらに有し、
前記第１側板は、前記連結部が前記管板の前記第１方向の内側から前記第１舌部端の前記第１方向の外側まで延びている延長部（６３ｂ）を持つ、
請求項１又は請求項２に記載の空調室内機。
【請求項４】
前記第１側板は、前記管支持部の前記第１方向の内側に水受け（６４）を持つ、
請求項１から３のいずれか一項に記載の空調室内機。
【請求項５】
第１側面（１２３）及び実質的に平板状の第２側面（１２４）を前記第１方向の両側に持つケーシング（１２）と、
前記熱交換部の前記第２領域端の側に取り付けられ、前記第１舌部端の反対側にある第２舌部端（４５ｂ）及び前記第２領域端の前記第１方向の外側に、前記ケーシングの前記第２側面に沿って配置される実質的に平板状の第２側板（７０）をさらに備える、
請求項１から４のいずれか一項に記載の空調室内機。
【発明の詳細な説明】
【技術分野】
【０００１】
本発明は、空調室内機、特に室内空気の熱交換を行うための熱交換部を備える空調室内機に関する。
【背景技術】
【０００２】
従来から、上下に（鉛直方向に）短く左右に（水平方向に）長い空調室内機において、空気調和のために幅の広い層流を発生させる機材としてクロスフローファンが使用されることが多い。このようなクロスフローファンを備える空調室内機においては、安定した十分な層流を発生させるために、例えば特許文献１（特開２０１４−０２０２４３号公報）に開示されている空調室内機のようにリアガイダが設けられ、リアガイダの上端部分に後舌部と呼ばれるスタビライザが設けられるのが一般的である。
【発明の概要】
【発明が解決しようとする課題】
【０００３】
しかし、特許文献１に記載されている空調室内機などでは、熱交換器を支持するための側板によって後舌部の長手方向の長さが規制される。そのために、クロスフローファンが熱交換器よりも長くても側板近傍では気流が弱くなる傾向がある。
【０００４】
本発明の課題は、側板に近い熱交換器の端部近傍を通過する気流を多く発生させることである。
【課題を解決するための手段】
【０００５】
本発明の第１観点に係る空調室内機は、第１方向に延びる伝熱管及び伝熱管に沿ったフィン配置領域の第１領域端から第２領域端の間に並べて配置されて伝熱管に貫かれている複数のフィンを有する熱交換部と、熱交換部と並べて第１方向に延びるように配置され、複数のフィンを通過する気流を発生するためのファンと、熱交換部及びファンと並べて第１方向に延びるように配置され、第１領域端よりも第１方向の外側に位置する第１舌部端を持ち、熱交換部を通過した気流をファンに導くための後舌部と、第１舌部端よりも第１方向の外側に配置されている本体部、伝熱管を支持するために第１舌部端よりも第１方向の内側に配置されている管支持部、及び本体部と管支持部とを連結するために後舌部に沿って延びる連結部を有し、熱交換部の第１領域端の側に取り付けられる第１側板とを備える。
【０００６】
第１観点に係る空調室内機において、第１側板が本体部と管支持部とを連結するために後舌部に沿って延びる連結部を有し、後舌部がフィン配置領域の第１領域端よりも第１方向の外側に位置する第１舌部端を持つので、熱交換部の第１領域端よりも第１方向の外側の後舌部で気流を発生させることができる。
【０００７】
本発明の第２観点に係る空調室内機は、第1観点の空調室内機において、第１側板は、後舌部をファンと第１側板との間にもぐり込ませるための段差部を有する、ものである。
【０００８】
第２観点に係る空調室内機において、後舌部を第１側板の段差にもぐりこませる段差部を第１側板が有しているので、フィン配置領域の第１領域端附近では、熱交換部を通過した気流が第１側板に沿って後舌部を通過するようになり、熱交換部を通らない気流が後舌部を経由してファンに流れるのを抑制することができる。
【０００９】
本発明の第３観点に係る空調室内機は、第１観点又は第２観点の空調室内機において、熱交換部は、管支持部に取り付けられ、伝熱管を固定するための管板をさらに有し、第１側板は、連結部が管板の第１方向の内側から第１舌部端の第１方向の外側まで延びている延長部を持つ、ものである。
【００１０】
第３観点に係る空調室内機において、連結部が管板の内側から第１舌部端の第１方向の外側まで延びている延長部を持つので、管板の第１方向の内側に第１側板の管支持部を配置することができ、管板の内側にまで側板が入り込んでいる構成と同様の組み立てが可能になる。
【００１１】
本発明の第４観点に係る空調室内機は、第１観点から第３観点のいずれかの空調室内機において、第１側板は、管支持部の第１方向の内側に水受けを持つ、ものである。
【００１２】
第４観点に係る空調室内機において、管支持部の第１方向の内側に水受けを持つので、管支持部を伝って後舌部及びファンに結露水が滴下するのを水受けによって抑制することができる。
【００１３】
本発明の第５観点に係る空調室内機は、第１観点から第４観点のいずれかの空調室内機において、第１側面及び実質的に平板状の第２側面を第１方向の両側に持つケーシングと、熱交換部の第２領域端の側に取り付けられ、第１舌部端の反対側にある第２舌部端及び第２領域端の第１方向の外側に、ケーシングの第２側面に沿って配置される実質的に平板状の第２側板をさらに備える、ものである。
【００１４】
第５観点に係る空調室内機において、第２舌部端及び第２領域端の第１方向の外側に配置される第２側板が実質的に平板状であるので、ケーシングの第１側面から第２側面までの距離を短くし易くなるとともに第１側面と熱交換部との間に器材を配置するスペースを確保し易くなる。
【発明の効果】
【００１５】
本発明の第１観点に係る空調室内機では、第１側板に近い熱交換部のフィン配置領域の第１領域端近傍のフィンの通風量を増加させることができる。
【００１６】
本発明の第２観点に係る空調室内機では、フィン配置領域の第１領域端近傍のフィンの通風量を容易に増加させることができる。
【００１７】
本発明の第３観点に係る空調室内機では、熱交換部と第１側板周辺の組み立てを簡単に行える。
【００１８】
本発明の第４観点に係る空調室内機では、管支持部に付着する結露水が外部に吹出されるのを抑制することができる。
【００１９】
本発明の第５観点に係る空調室内機では、ケーシングを小型化し易くなる。
【図面の簡単な説明】
【００２０】
【図１】空調室内機の断面図。
【図２】前面グリルを底フレームに取り付けている状況を示す組立図。
【図３】前面グリルの正面図。
【図４】底フレームの斜視図。
【図５】底フレームの正面図。
【図６】底フレーム１１を図５のＩ−Ｉ線に沿って切断した断面図。
【図７】第１側板の斜視図。
【図８】第１側板の正面図。
【図９】第２側板の側面図。
【図１０】第２側板の平面図。
【図１１】室内熱交換器が底フレームに取り付けられた状態を示す斜視図。
【図１２】室内熱交換器が取り付けられた図２の底フレームを第１方向に対して垂直な面で切断した断面図。
【図１３】図１２に示されている状態の底フレームをＩＩ−ＩＩ線に沿って切断した断面図。
【図１４】後舌部よりも外側に配置するタイプの他の第１側板を示す斜視図。
【図１５】図１４に示されている他の第１側板の正面図。
【図１６】他の室内熱交換器が底フレームに取り付けられた状態を示す斜視図。
【図１７】図１２に示されている状態の底フレームをＩＩＩ−ＩＩＩ線に沿って切断した断面図。
【発明を実施するための形態】
【００２１】
（１）空調室内機の全体構成
本発明の一実施形態に係る空調室内機の全体構成の概要について説明する。図１は、本発明の一実施形態に係る空調室内機の断面図である。この図１には、空調室内機１０の長手方向に対して垂直な平面で切断された空調室内機１０の断面が示されている。図１に示されている空調室内機１０は、長手方向が水平方向と一致するように部屋の壁面Ｗに取り付けられている。
【００２２】
空調室内機１０は、底フレーム１１と前面グリル１２と前面パネル１３とを有している。底フレーム１１は、壁面Ｗに固定されて、空調室内機１０の全体を支える部材である。以下の説明では、図１に示されている空調室内機１０において、壁面Ｗに取り付けられる側を背面、背面に対向する側を前面、空調室内機１０の上を上面、空調室内機１０の下を下面と呼ぶ。また、図２に示されている空調室内機１０は左右に長く延びており、空調室内機１０の長手方向つまり左右方向を第１方向と呼ぶ。また、第１方向において内側とは空調室内機１０の中央に近い方を指し、第１方向において外側とは中央から遠い方を指す。
【００２３】
図２に示されているように、前面グリル１２は、前面の方から底フレーム１１に取り付けられる。そして、これら前面グリル１２と底フレーム１１で囲まれた内部空間ＩＳに、室内熱交換器３０と室内ファン５０が収納される。図３に示されている前面グリル１２は、内部空間ＩＳの前面、上面、下面及び両側面に覆いかぶさっている。この前面グリル１２は、右端に第１側面１２３を持ち、左端に第２側面１２４を持っている。前面パネル１３は、前面グリル１２の前面を覆う化粧板である。
【００２４】
吸込口１５は、空調室内機１０の上面に設けられている。吸込口１５は、主に前面グリル１２の開口部であるが、前面パネル１３の上端部の背面と前面グリル１２の間にも吸込口１５が形成されている。この部分の吸込口１５から吸込まれた室内空気は、前面グリル１２の吸込開口１２１を通って吸込まれる。吸込口１５は、空調室内機１０の長手方向に長く延びている。吸込口１５の長手方向の長さは、長手方向に延びている室内熱交換器３０及び室内ファン５０に対応するように設定されている。また、図１に示されているように、空調室内機１０の上面に形成されている吸込口１５は、空調室内機１０の前面と上面のほぼ全域にわたっている。
【００２５】
吸込口１５から吸込まれる室内空気中の塵埃を捕集するために、エアフィルタ２１が、室内熱交換器３０の前方側から上方側まで延在している。このエアフィルタ２１は、断面形状がＬ字型になるように曲げられ、前面グリル１２の上面だけでなく、前面グリル１２の吸込開口１２１に対応する位置つまり前面パネル１３の裏面に対向する位置にまで配置されている。前面グリル１２には、電装品箱８０が取り付けられる収納部１２８が形成されている。この収納部１２８は、第１方向において、第１側面１２３と室内熱交換器３０との間に設けられている。
【００２６】
吹出口１６は、空調室内機１０の下面のうち前面に近い側に設けられている。吹出口１６は、空調室内機１０の長手方向に長く延びており、長手方向の長さが吸込口１５に相当するように設定されている。吹出口１６からは側面から見て前方斜め下方に向かって調和空気が吹出される。吹出口１６は、図２に示されている前面グリル１２の吹出開口１２２に設けられる。吹出口１６には、吹出開口１２２のほぼ全体を塞げるように２枚の水平フラップ１７，１８が取り付けられている。長手方向に長く延びる２枚の水平フラップ１７，１８は、前後に並べて配置されている。２枚の水平フラップ１７，１８は、吹出口１６に平行に長手方向に延びた異なる回転軸を中心として回転し、それぞれの回転軸の周りを回動することができる。水平フラップ１７，１８は、運転時には吹出口１６から室内へと吹き出される調和空気の上下方向の風向を調整し、運転停止時には吹出口１６を閉じる。吹出口１６には、多数の垂直フラップ１９が取り付けられている。これら垂直フラップ１９は、吹出口１６の長手方向に交差するように配置されている。
【００２７】
（２）空調室内機１０の内部構成
（２−１）底フレーム１１
図１に示されているように、底フレーム１１には、リアガイダ４１、スタビライザ４２、前側ドレンパン４３及び後側ドレンパン４４が形成されている。底フレーム１１は、例えば樹脂によって形成される。リアガイダ４１及びスタビライザ４２によって吹出口１６に続く吹出流路１６ａが形成されている。
【００２８】
図４は、底フレーム１１の斜視図である。図５は、底フレーム１１の正面図である。また、図６は、底フレーム１１を図５のＩ−Ｉ線に沿って切断した断面図である。図４乃至図６に示されているように、底フレーム１１に後舌部４５が形成されている。後舌部４５は、図５に示されているように、空調室内機１０の長手方向である左右方向、つまり第１方向に長く延びている。後舌部４５の右端が第１舌部端４５ａであり、左端が第２舌部端４５ｂである。そして、リアガイダ４１の第１端部４１ａと第２端部４１ｂは、第１方向において、それぞれ第１舌部端４５ａと第２舌部端４５ｂにほぼ同じところに位置する。従って、この後舌部４５の第１方向の長さは、リアガイダ４１の第１方向の長さに実質的に等しい。図６から分かるように、この後舌部４５は、リアガイダ４１の背面側から上方に向かって延びている。
【００２９】
また、底フレーム１１の下方には、吹出口１６を形成するための開口１１ｂが設けられている。この開口１１ｂの第１方向の長さは、リアガイダ４１の第１方向の長さと実質的に同じである。
【００３０】
（２−２）室内ファン５０
室内ファン５０は、クロスフローファンであり、複数の羽根５１が円周上に配置された構成である。室内ファン５０は、空調室内機１０の断面において、空調室内機１０の略中央に配置されており、底フレーム１１に取り付けられている。室内ファン５０は、その右端を図７及び図８に示されている第１側板６０で固定され、その左端を図９及び図１０に示されている第２側板７０で固定される。第２側板７０の基部７１は、実質的に平板状である。この基部７１には、図１に示されている２列に配置されている伝熱管３６が挿入される開口７２と一列に配置されている伝熱管３６が挿入される凹部７３とが形成されている。この第２側板７０は、第１熱交換部３１、第２熱交換部３２及び補助熱交換部３３，３４の伝熱管３６を支持する部材である。
【００３１】
室内ファン５０の回転軸の中心は、図４及び図６に示されている底フレーム１１の半円形の凹部１１ａと第２側板７０の半円形の凹部７４が合わさってできる円の中心点を通る。第２側板７０は、ビス孔７５を通して底フレーム１１の雌ネジ部１１ｃに螺合されるビスによって底フレーム１１に固定される。この第２側板７０の左側近傍に前面グリル１２の第２側面１２４がある。同様に、第１側板６０も、第１側板６０のビス孔（図示せず）を通して底フレーム１１の雌ねじ部１１ｄに螺合されるビス及び係止爪（図示せず）によって底フレーム１１に固定される。第１側板６０の構成については後ほど詳しく説明する。
【００３２】
図１に示されている室内ファン５０の羽根５１は第１方向に沿って延びており、室内ファン５０と後舌部４５とは並べて配置されている。第１方向における室内ファン５０の両端の位置は、後舌部４５の第１舌部端４５ａ及び第２舌部端４５ｂに実質的に一致する。本実施形態では、後舌部４５よりも室内ファン５０が僅かに長く、第１舌部端４５ａ及び第２舌部端４５ｂよりも第１方向の外側にも羽根５１が配置されている。
【００３３】
室内ファン５０の下部は、吹出口１６につながる吹出流路１６ａに繋がっている。この室内ファン５０からは、吹出流路１６ａを通って吹出口１６に向かう層流が吹出される。この室内ファン５０の上部は、室内熱交換器３０に囲まれている。図１において、二点鎖線で示された矢印Ａｒ１は、室内ファン５０が駆動されているときに吸込まれる室内空気の流れを表しており、一点鎖線で示された矢印Ａｒ２は吹き出される調和空気の流れを表している。
【００３４】
（２−３）室内熱交換器３０
室内熱交換器３０は底フレーム１１に取り付けられている。室内熱交換器３０は、前面に配置された第１熱交換部３１と背面に配置された第２熱交換部３２を備えている。これら第１熱交換部３１と第２熱交換部３２は、図１から分かるように、断面形状が逆Ｖ字型を呈するように組み合わされている。また、室内熱交換器３０は、第１熱交換部３１の前面に配置された補助熱交換部３３と、第２熱交換部３２の背面側に配置された補助熱交換部３４とを備えている。
【００３５】
室内熱交換器３０は、フィンアンドチューブ式の熱交換器であり、複数のフィン３５と複数の伝熱管３６を含んで構成されている。複数の伝熱管３６は、複数のフィン３５を貫いて第１方向に延びている。複数のフィン３５はそれぞれ第１方向に対して直交する向きに配置され、かつ互いに平行にかつ等しい間隔で並べられている。この室内熱交換器３０は、各伝熱管３６の中を通っている冷媒と各フィン３５に接触する室内空気との間の熱交換を行なう空気熱交換器である。
【００３６】
室内熱交換器３０における伝熱管３６の配列は、第１熱交換部３１及び第２熱交換部３２では、それぞれ空気流れ方向に対して上流側と下流側に１列ずつ配置され、補助熱交換部３３，３４ではそれぞれ空気流れ方向を横切るように１列だけ配置されている。
【００３７】
図１１には、室内熱交換器３０が底フレーム１１に取り付けられた状態が示されている。室内熱交換器３０の第１熱交換部３１及び第２熱交換部３２の左右の両端に管板３７を備え、補助熱交換部３３，３４の左右両端に管板３８を備えている。これら管板３７，３８によって伝熱管３６が固定される。これら管板３７，３８の固定されている位置がフィン配置領域ＦＡの第１方向の両端である第１領域端ＡＥ１と第２領域端ＡＥ２に一致する。従って、第１方向においては、全てのフィン３５がこのフィン配置領域ＦＡの中に配置されていることになる。第１方向において、第２領域端ＡＥ２の位置は、第２舌部端４５ｂと実質的に一致する。後ほど詳しく説明するが、第１領域端ＡＥ１は、第１方向において、第１舌部端４５ａよりも内側に位置している。
【００３８】
（３）第１側板６０及びその周辺の構成
本実施形態において、従来の空調室内機の構成と大きく異なる箇所は、第１側板６０の周辺である。そこで、図１１の左右方向（第１方向）に対して垂直な面で切断した断面が示されている図１２と、図１２のＩＩ−ＩＩ線に沿って切断した断面が示されている図１３を用いて、本実施形態の第１側板６０及びその周辺の構成について説明する。また、後舌部よりも第１方向の外側に配置するタイプであって第１側板６０と置換可能な第１側板を図１４及び図１５に示す。さらに、後舌部４５よりも第１方向の外側に配置するタイプの第１側板が取り付けられたときの空調室内機について、図１２に対応する断面が図１６に示され、図１６のＩＩＩ−ＩＩＩ線に沿って切断した断面が図１７に示されている。
【００３９】
（３−１）第１側板６０
第１側板６０は、主に、本体部６１と管支持部６２と連結部６３とによって構成されている。本体部６１は、第１舌部端４５ａよりも第１方向の外側に配置される。本体部６１の下には室内ファン５０を駆動するためのファンモータ５２が配置されている。管支持部６２は、第１舌部端４５ａよりも内側に配置されている。従って、管支持部６２は、管板３７，３８よりも内側に配置されている。この第１方向に対して垂直に立っている板状の管支持部６２が、室内熱交換器３０において最も下流側にある列の伝熱管３６を支持する。
【００４０】
本体部６１と管支持部６２は、連結部６３によって連結されている。連結部６３には、図１３に示されている段差部６３ａが設けられており、この段差部６３ａによって後舌部４５を室内ファン５０と第１側板６０の間にもぐり込ませるための段差ＳＴが形成されている。この段差部６３ａは、連結部６３の延長部６３ｂに形成されている。延長部６３ｂは管板３７，３８の第１方向の内側から第１舌部端４５ａの第１方向の外側まで延びている。
【００４１】
また、第１側板６０は、管支持部６２の第１方向の内側に水受け６４を有している。水受け６４は、側面視において円弧状に延びており、管支持部６２の内側の面に付着した結露水は水受け６４を伝って前側ドレンパン４３又は後側ドレンパン４４に流れる。図１２に示されているように、後舌部４５は、水受け６４の下を通って、管支持部６２に対して第１方向の外側まで延びている。
【００４２】
（３−２）第１側板６０と第１側板１６０の比較
本実施形態に係る第１側板６０が示されている図７及び図８と、後舌部４５よりも第１方向の外側に配置されるタイプの第１側板１６０が示されている図１４及び図１５とを比較して分かるように、このタイプの第１側板１６０も、本体部６１と管支持部６２と連結部６３にそれぞれ対応する本体部１６１と管支持部１６２と連結部１６３とを備えている。しかし、連結部１６３には、連結部６３の延長部６３ｂに対応する部分が存在していない。
【００４３】
また、図１６には、上記実施形態と同様の底フレーム１１と室内ファン５０に、上記実施形態よりも長い室内熱交換器３０Ａが取り付けられている。室内熱交換器３０と室内熱交換器３０Ａは第１方向の長さが異なるだけである。底フレーム１１と室内ファン５０に、室内熱交換器３０と第１側板６０とを組み合わせて取り付けるか、又は室内熱交換器３０Ａと第１側板１６０とを組み合わせて取り付けるかは、状況に応じて選択することができる。
【００４４】
図１２及び図１３と図１６及び図１７とを比較して分かるように、第１側板１６０には第１側板６０に設けられていた段差ＳＴがない。そして、水受け１６４は、後舌部４５の右側、即ち第１舌部端４５ａの第１方向の外側に並べて配置されている。
【００４５】
（４）特徴
（４−１）
以上説明したように、本実施形態に係る空調室内機１０では、第１側板６０が本体部６１と管支持部６２とを連結するために後舌部４５に沿って延びる連結部６３を有している。そして、後舌部４５が図１１及び図１３に示されているフィン配置領域ＦＡの第１領域端ＡＥ１よりも第１方向の外側に位置する第１舌部端４５ａを持っている。その結果、第１熱交換部３１、第２熱交換部３２及び補助熱交換部３３，３４（熱交換部の例）の第１領域端ＡＥ１よりも第１方向の外側の後舌部４５で気流を発生させることができ、第１側板６０に近い第１熱交換部３１、第２熱交換部３２及び補助熱交換部３３，３４のフィン配置領域ＦＡの第１領域端ＡＥ１近傍のフィン３５の通風量を増加させることができる。
【００４６】
（４−２）
また、第１側板６０は、段差部６３ａを持っており、後舌部４５を第１側板６０の段差ＳＴにもぐりこませるように構成されているので、フィン配置領域ＦＡの第１領域端ＡＥ１附近では、第１熱交換部３１、第２熱交換部３２及び補助熱交換部３３，３４を通過した気流が第１側板６０に沿って後舌部４５を通過するようになる。その結果、第１熱交換部３１、第２熱交換部３２及び補助熱交換部３３，３４を通らない気流が後舌部４５を経由して室内ファン５０（ファンの例）に流れるのを抑制することができ、フィン配置領域ＦＡの第１領域端ＡＥ１近傍のフィン３５の通風量を容易に増加させることができる。
【００４７】
（４−３）
また、第１側板６０は、連結部６３が管板３７，３８の内側から第１舌部端４５ａの第１方向の外側まで延びている延長部６３ｂを持つので、管板の第１方向の内側に第１側板の管支持部を配置することができる。その結果、室内ファン５０を第１側板６０及び第２側板７０で固定した後の室内熱交換器３０の組み立てにおいて、管板３７，３８の内側にまで側板が入り込んでいる構成と同様の組み立てが可能になり、熱交換部と第１側板６０周辺の組み立てを簡単に行える。
【００４８】
（４−４）
また、第１側板６０は、管支持部６２の第１方向の内側に水受け６４を持つので、管支持部６２を伝って後舌部４５及び室内ファン５０に結露水が滴下するのを水受け６４によって抑制することができる。その結果、空調室内機１０では、管支持部６２に付着する結露水が吹出口１６から外部に吹出されることが抑制される。
【００４９】
（４−５）
上記実施形態の空調室内機１０において、後舌部４５の第２舌部端４５ｂ及び第２領域端ＡＥ２の第１方向の外側に配置される第２側板７０が実質的に平板状であるので、前面グリル１２（ケーシングの例）の第１側面１２３から第２側面１２４までの距離を短くし易くなるとともに第１側面１２３と第１熱交換部３１、第２熱交換部３２及び補助熱交換部３３，３４との間に器材を配置するスペースを確保し易くなる。このような器材としては、例えば、電装品箱８０がある。
【００５０】
（５）変形例
（５−１）変形例１Ａ
上記実施形態では、熱交換部として、第１熱交換部３１、第２熱交換部３２及び補助熱交換部３３，３４を持つものについて説明したが、例えば補助熱交換部を持たない空調室内機に適用することもできる。また、複数の熱交換部を持つ場合に、第１方向において各熱交換部の長さが異なるものにも適用することができ、そのようなときには第１方向の最も外側に管板を持つ熱交換部でフィン配置領域の第１領域端及び第２領域端を決めればよい。
【００５１】
（５−２）変形例１Ｂ
上記実施形態では、右側に第１側板６０があり、左側に第２側板７０がある空調室内機１０について説明したが、これらが入れ替わって右側に第２側板７０があり、左側に第１側板６０がある空調室内機にも本願発明を適用できる。
【００５２】
（５−３）変形例１Ｃ
上記実施形態では、ケーシングが一体型の前面グリル１２であるものについて説明したが、ケーシングが前面や側面や底面の一部が分割されている分割型のケーシングをも討ち入ることもできる。
【符号の説明】
【００５３】
１０    空調室内機
１１    底フレーム
１２    前面グリル（ケーシングの例）
３１    第１熱交換部（熱交換部の例）
３２    第２熱交換部（熱交換部の例）
３３，３４    補助熱交換部（熱交換部の例）
３５    フィン
３６    伝熱管
３７，３８    管板
４５    後舌部
４５ａ    第１舌部端
４５ｂ    第２舌部端
５０    室内ファン（ファンの例）
６０    第１側板
６１    本体部
６２    管支持部
６３    連結部
６３ａ    段差部
６３ｂ    延長部
６４    水受け
７０    第２側板
１２３    第１側面
１２４    第２側面
【先行技術文献】
【特許文献】
【００５４】
【特許文献１】特開２０１４−０２０２４３号公報
【図１】
2016138689.tif 000003
【図２】
2016138689.tif 000004
【図３】
2016138689.tif 000005
【図４】
2016138689.tif 000006
【図５】
2016138689.tif 000007
【図６】
2016138689.tif 000008
【図７】
2016138689.tif 000009
【図８】
2016138689.tif 000010
【図９】
2016138689.tif 000011
【図１０】
2016138689.tif 000012
【図１１】
2016138689.tif 000013
【図１２】
2016138689.tif 000014
【図１３】
2016138689.tif 000015
【図１４】
2016138689.tif 000016
【図１５】
2016138689.tif 000017
【図１６】
2016138689.tif 000018
【図１７】
2016138689.tif 000019